(57)【特許請求の範囲】
【請求項１】
液透過性の表面シート、裏面シート、及びこれら両シート間に配された吸収体を有する吸収性本体を備え、着用時に着用者の腹側に配される腹側部、背側に配される背側部及びそれらの間に位置する股下部を有する縦長の使い捨ておむつであって、
前記背側部における前記吸収性本体の肌対向面側に、該吸収性本体を幅方向に横断するように配された腰部ベルトを有しており、
前記腰部ベルトは、前記吸収性本体と重なる中央部分と、該吸収性本体の両側縁から幅方向外方に延出する一対のフラップ部とを有し、
前記中央部分は、前記吸収体の長手方向の両側縁それぞれの外方及び該吸収体の前記背側部側の端部より外方において、前記吸収性本体の肌対向面側に固定されており、且つ前記股下部側に、前記表面シートに接合されていない非接合領域を有し、おむつの自然状態において、前記吸収体と重なる表面シート上に防漏ポケットが形成されるようになされており、
一対の前記フラップ部それぞれにファスニングテープが設けられており、
一対の前記フラップ部それぞれに伸縮部材が取り付けられており、
前記伸縮部材は、伸縮部分の少なくとも一部が、一対の前記ファスニングテープの上端どうし間を結ぶ第１直線と下端どうし間を結ぶ第２直線とに挟まれたテープ間領域内に位置しており、
一対の前記フラップ部それぞれに、伸長性付与加工により伸長性を付与した伸長領域が形成され、該伸長領域は、少なくとも一部が、前記テープ間領域内において前記伸縮部材と重なっており、
前記吸収体の前記背側部側の端部が、前記テープ間領域よりも股下部側に位置し、
前記伸縮部材の、前記吸収性本体の長手方向に沿う方向の長さが、前記ファスニングテープの同方向の長さと同一である、使い捨ておむつ。
【請求項２】
液透過性の表面シート、裏面シート、及びこれら両シート間に配された吸収体を有する吸収性本体を備え、着用時に着用者の腹側に配される腹側部、背側に配される背側部及びそれらの間に位置する股下部を有する縦長の使い捨ておむつであって、
前記背側部における前記吸収性本体の肌対向面側に、該吸収性本体を幅方向に横断するように配された腰部ベルトを有しており、
前記腰部ベルトは、前記吸収性本体と重なる中央部分と、該吸収性本体の両側縁から幅方向外方に延出する一対のフラップ部とを有し、
前記中央部分は、前記吸収体の長手方向の両側縁それぞれの外方及び該吸収体の前記背側部側の端部より外方において、前記吸収性本体の肌対向面側に固定されており、且つ前記股下部側に、前記表面シートに接合されていない非接合領域を有し、おむつの自然状態において、前記吸収体と重なる表面シート上に防漏ポケットが形成されるようになされており、
一対の前記フラップ部それぞれにファスニングテープが設けられており、
一対の前記フラップ部それぞれに伸縮部材が取り付けられており、
前記伸縮部材は、伸縮部分の少なくとも一部が、一対の前記ファスニングテープの上端どうし間を結ぶ第１直線と下端どうし間を結ぶ第２直線とに挟まれたテープ間領域内に位置しており、
一対の前記フラップ部それぞれに、伸長性付与加工により伸長性を付与した伸長領域が形成され、該伸長領域は、少なくとも一部が、前記テープ間領域内において前記伸縮部材と重なっており、
前記吸収体の前記背側部側の端部が、前記テープ間領域よりも股下部側に位置し、
前記伸縮部材は、前記腰部ベルトに固定された固定部として、前記吸収性本体側の本体側固定部と、該吸収性本体から遠い側の先端側固定部とを有し、本体側固定部と先端側固定部との間に、前記伸長領域と重なり且つ該腰部ベルトに固定されていない非固定部を有する、使い捨ておむつ。
【請求項３】
前記ファスニングテープは、前記伸縮部材の端部に連結されている、請求項１又は２に記載の使い捨ておむつ。
【請求項４】
前記腰部ベルトの一部からなる一対の前記フラップ部が、それぞれ該腰部ベルトの中央領域の肌対向面側に折り曲げられており、その一対のフラップ部に、ファスニングテープ及び伸縮部材の複合配置体が前記両フラップ部に架け渡すように固定されていることによって、その一対のフラップ部に、前記ファスニングテープ及び前記伸縮部材が取り付けられており、
前記複合配置体は、ミシン目を有する基材シートを有し、前記基材シートは、おむつ幅方向中央の両側それぞれに、該吸収性本体側に折り曲げられて、おむつ幅方向中央側に折り返された折り返し部分を有し、該基材シートの折り返されていないベース部分と前記折り返し部分との間にエラストマーシートが挟持されたエラストマーシート積層部を有しており、
前記エラストマーシート積層部に伸長性付与加工が施されて、前記伸縮部材の伸縮部分が形成されているとともに、前記折り返し部分にファスニングテープが連結されており、
ミシン目を破断して使用する、請求項１〜３の何れか１項に記載の使い捨ておむつ。
【請求項５】
前記腰部ベルトの一部からなる一対の前記フラップ部が、それぞれ該腰部ベルトの中央領域の肌対向面側に折り曲げられており、その一対のフラップ部に、ファスニングテープ及び伸縮部材の複合配置体が前記両フラップ部に架け渡すように固定されていることによって、その一対のフラップ部に、前記ファスニングテープ及び前記伸縮部材が取り付けられており、
前記複合配置体は、一対のファスニングテープがミシン目を介して結合した構成を有するファスニングテープ連結体と、該ファスニングテープ連結体を挟む両側それぞれに連結された基材シートを有しており、
前記基材シートそれぞれは、前記吸収性本体側に折り曲げられて、おむつ幅方向中央側に折り返された折り返し部分を有し、該基材シートの折り返されていないベース部分と前記折り返し部分との間にエラストマーシートが挟持されたエラストマーシート積層部を有しており、
前記エラストマーシート積層部に伸長性付与加工が施されて、前記伸縮部材の伸縮部分が形成されており、前記ファスニングテープ連結体は、前記ミシン目を破断することで一対のファスニングテープに分離可能である、請求項１〜３の何れか１項に記載の使い捨ておむつ。
【発明の詳細な説明】
【技術分野】
【０００１】
本発明は、使い捨ておむつに関する。
【背景技術】
【０００２】
従来、着用者の背側に配される背側部にファスニングテープを有し、該ファスニングテープを腹側部に設けたランディングテープに止着して装着するテープ型の使い捨ておむつ等の使い捨ておむつとして、着用者の胴回りに対するフィット性を高めるために、着用者の背側に配される背側部に、複数本の糸状弾性体を平行状に含む弾性伸縮材を固定して伸縮性を付与したり、ファスニングテープを固定するフラップ部に、同様の弾性伸縮材を配して伸縮性を付与したものが知られている。
しかし、糸状弾性体を用いた弾性伸縮材は、その製造工程が複雑である上に、原材料も多く、製造コストの削減が困難である。
また、比較的廉価な使い捨ておむつとして、背側部に伸縮部を設けないものも市販されているが、そのようなおむつは、フィット性が不十分となり易い。
【０００３】
また、従来の展開型の使い捨ておむつとして、吸収性本体に、横長矩形状のシート材を横断するように固定し、該シート材における、吸収性本体の両側縁から延出した部分であるフラップ部にファスニングテープを固定した使い捨ておむつも提案されている（特許文献１，２参照）。
しかし、特許文献１のものは、フラップ部に伸縮性を有さず、フィット性が不十分となり易い。また、特許文献２のものは、横長矩形状のシート材が、吸収性本体の非肌対向面側に固定されており、該シート材を、吸収性本体と重なる部分を含めて面で着用者の肌にフィットさせる発想はなく、また、該シート材により、吸収体と重なる表面シート上に防漏ポケットを形成することも記載されていない。
【先行技術文献】
【特許文献】
【０００４】
【特許文献１】特開２０１３−０５１９８４号公報
【特許文献２】特開２００９−５０９６１９号公報
【発明の概要】
【発明が解決しようとする課題】
【０００５】
本発明の課題は、前述した従来技術が有する欠点を解決し得る使い捨ておむつを提供することにある。
【課題を解決するための手段】
【０００６】
本発明は、液透過性の表面シート、裏面シート、及びこれら両シート間に配された吸収体を有する吸収性本体を備え、着用時に着用者の腹側に配される腹側部、背側に配される背側部及びそれらの間に位置する股下部を有する縦長の使い捨ておむつであって、前記背側部における前記吸収性本体の肌対向面側に、該吸収性本体を幅方向に横断するように配された腰部ベルトを有しており、前記腰部ベルトは、前記吸収性本体と重なる中央部分と、該吸収性本体の両側縁から幅方向外方に延出する一対のフラップ部とを有し、前記中央部分は、前記吸収体の長手方向の両側縁それぞれの外方及び該吸収体の前記背側部側の端部より外方において、前記吸収性本体の肌対向面側に固定されており、且つ前記股下部側に、前記表面シートに接合されていない非接合領域を有し、おむつの自然状態において、前記吸収体と重なる表面シート上に防漏ポケットが形成されるようになされており、一対の前記フラップ部それぞれにファスニングテープが設けられており、一対の前記フラップ部それぞれに伸縮部材が取り付けられており、前記伸縮部材は、伸縮部分の少なくとも一部が、一対の前記ファスニングテープの上端どうし間を結ぶ第１直線と下端どうし間を結ぶ第２直線とに挟まれたテープ間領域内に位置しており、一対の前記フラップ部それぞれに、伸長性付与加工により伸長性を付与した伸長領域が形成され、該伸長領域は、少なくとも一部が、前記テープ間領域内において前記伸縮部材と重なっており、前記吸収体の前記背側部側の端部が、前記テープ間領域よりも股下部側に位置する、使い捨ておむつを提供するものである。
【発明の効果】
【０００７】
本発明の使い捨ておむつは、フラップ部に設けた伸長領域及びフラップ部に取り付けた伸縮部材により、フラップ部が良好な伸縮性を示すとともに、腰部ベルトが、吸収体の剛性に阻害されずに着用者の胴回り部に面で良好にフィットし、フィット性及び着用感に優れるとともに安価に製造可能である。また、腰部ベルトに非接合領域を形成して防漏ポケットが形成されるようにしたため、フィット性に一層優れるとともに漏れ防止性にも優れている。
【図面の簡単な説明】
【０００８】
【図１】図１は、本発明の第１実施形態の使い捨ておむつを、表面シート側から見た展開平面図である。
【図２】図２は、図１のＩＩ−ＩＩ線拡大断面図である。
【図３】図３は、図１に示す使い捨ておむつの左側の背側フラップ部及びその近傍を、裏側（非肌対向面側）から視た拡大平面図である。
【図４】図４は、図３のＩＶ−ＩＶ線断面図である。
【図５】図５は、図１に示す使い捨ておむつの着用状態を示す斜視図である。
【図６】図６は、伸長性付与加工に好ましく用いられる延伸装置の例を示す斜視図である。
【図７】図７は、本発明の第２実施形態の使い捨ておむつを示す図で、（ａ）は、表面シート側から見た展開概略平面図、（ｂ）は（ａ）のおむつに用いた複合配置体のＶＩＩ−ＶＩＩに沿う断面図である。
【図８】図８は、第２実施形態の使い捨ておむつに用いた複合配置体の好ましい製造方法を示す説明図である。
【図９】図９は、第２実施形態の使い捨ておむつの好ましい製造方法におけるベルト連続体の製造工程及びそのベルト連続体に対して複合配置体を固定する様子を示す説明図である。
【図１０】図１０は、第２実施形態の使い捨ておむつの好ましい製造方法における図９に示す工程以後の工程の説明図である。
【図１１】図１１は、複合配置体の他の例を示す図７（ｂ）相当図である。
【図１２】図１２は、図１１に示す複合配置体の好ましい製造方法を示す説明図である。
【発明を実施するための形態】
【０００９】
以下、本発明を、その好ましい実施態様に基づき図面を参照しながら説明する。
本発明の第１実施形態の使い捨ておむつ１（以下、おむつ１ともいう）は、図１に示すように、吸収性本体２、腰部ベルト３及び腹側腰部ベルト８を備えている。
おむつ１は、図１に示すように、縦長の形状を有しており、着用時に着用者の腹側に配される腹側部Ａ、着用者の背側に配される背側部Ｂ、及びそれらの間に位置し、股間部に配される股下部Ｃを有している。本実施形態のおむつ１における、腹側部Ａ、股下部Ｃ及び背側部Ｂは、図１に示すように、縦長のおむつ１を、その長手方向の全長を３等分するように３分割した各領域である。
【００１０】
吸収性本体２は、図１に示すように、おむつ１の展開状態において長方形状であり、図１及び図２に示すように、液透過性の表面シート２２、裏面シート２５、及びこれら両シート２２，２５間に配された吸収体２１を有する。裏面シート２５は、吸収性本体２の厚み方向において吸収体２１よりも、おむつ１の非肌対向面側に配されたシートであり、本実施形態における裏面シート２５は、液不透過性又は液難透過性の樹脂フィルムからなる防漏シート２３と、該防漏シート２３の非肌対向面側に外装不織布２４との積層体からなる。吸収性本体２は、表面シート２２、裏面シート２５、吸収体２１、及び所望により追加される立体ガード形成用シート６１等の部材が公知の方法により一体化されてなる。また、裏面シート２５は、防漏シート２３のみからなるものであっても良い。
【００１１】
おむつ１、吸収性本体２及び吸収体２１について、長手方向Ｙとは、着用者の前後方向に対応する方向であり、図１に示す平面状の展開状態においては、吸収性本体２の長手方向と同方向である。使い捨ておむつ１、吸収性本体２及び吸収体２１について、幅方向Ｘとは、それらの長手方向Ｙと交差する方向（好ましくは直交する方向）であり、図１に示す平面状の展開状態においては、吸収性本体２の長手方向と直交する方向である。
また、おむつ１やその構成部材における肌対向面は、着用時に、着用者の肌側に向けられる面であり、おむつやおむつの構成部材における非肌対向面は、着用時に、着用者の肌とは反対側（通常衣類側）に向けられる面である。
【００１２】
吸収性本体２の長手方向の両側部には、一対の立体ガード６，６が形成されている。一対の立体ガード６，６は、おむつ１の幅方向中央側に位置する内側縁近傍に立体ガード形成用の弾性部材６２を有する立体ガード形成用シート６１，６１から形成されている。より具体的には、立体ガード形成用シート６１は、おむつ１の幅方向の内方側に、非肌対向面側に位置するシートに固定されていない所定幅の非固定領域を有し、おむつの幅方向の外方側に、非肌対向面側に位置するシートに固定されている固定領域を有しており、非固定領域と固定領域との境界部が表面シート２２の側縁に沿って該側縁の近傍に形成されている。非固定領域は、おむつ１の長手方向において、腹側部Ａの一部から背側部Ｂの一部に亘っており、少なくとも排泄部対向部Ｂにおける非固定領域が、おむつの着用時に、立体ガード形成用の弾性部材６２の収縮力により、表面シート２２から離間して立ち上がることが可能な立体ガード６を形成している。
【００１３】
おむつ１における腰部ベルト３は、図１に示すように、背側部Ｂにおける吸収性本体２の肌対向面側に、吸収性本体２を幅方向に横断するように配されている。おむつ１における腹側腰部ベルト８は、腹側部Ａにおける吸収性本体２の肌対向面側に、吸収性本体２を幅方向に横断するように配されている。
【００１４】
おむつ１における腰部ベルト３は、図１に示すように、おむつ１の幅方向Ｘに長い形状を有する横長の形状を有しており、より具体的には、おむつ１の幅方向Ｘに延びる２本の平行な長辺を有する横長の長方形状を有している。
本実施形態における腰部ベルト３について、より詳細に説明すると、腰部ベルト３は、吸収性本体２と重なる中央部分３Ｍと、該吸収性本体２の長手方向の両側縁２ｓ，２ｓから延出する一対のフラップ部３Ｆ，３Ｆとを有している。
【００１５】
腰部ベルト３の中央部分３Ｍは、吸収体２１の両側縁２１ｓ，２１ｓそれぞれの外方及び該吸収体２１の長手方向の端部２１ｂより外方において、吸収性本体２に固定されている。より具体的には、中央部分３Ｍの非肌対向面側に位置するシートである、表面シート２２、立体ガード形成用シート６１、表面シート２２の長手方向の端部２２ｂから延出した防漏シート２３、外装不織布２４等に、公知の接合方法により接合されている。腰部ベルト３を、その非肌対向面側に位置するシートに接合する方法としては、接着剤による接着や、熱シール、超音波シール等による熱融着、それら２種以上の組み合わせ等の任意の接合方法が用いられる。腰部ベルト３は、吸収体２１の長手方向の端部２１ｂより外方の部位において、外装不織布２４に亘るすべての層間が接合されていることが好ましい。
【００１６】
また、本実施形態のおむつ１における腰部ベルト３は、図２に示すように、股下部Ｃ側（図２中左側）に、表面シート２２に接合されていない非接合領域３Ａを有し、おむつの自然状態において、吸収体２１と重なる表面シート２２上に、防漏ポケットＰが形成されるようになされている。
吸収体２１上に、背側部Ｂ方向に流れた尿や軟便を堰き止める防漏ポケットＰを形成することにより、排泄物が、背側部側から漏れ出すことを確実に防止することができる。また、吸収体２１の長手方向の端部２１ｂを覆うように配された腰部ベルト３により防漏ポケットＰを形成することにより、吸収体２１の背側部Ｂ側の端部に排泄物が濡れ拡がった場合においても、その染み出しを効果的に防止することができる。
【００１７】
なお、本実施形態のおむつ１における腰部ベルト３は、面塗工された接着剤８１により、吸収体２１の背側部側の端部２１ｂの内外に亘って、吸収性本体２の構成部材（表面シート２２及び防漏シート２３等）に固定されているとともに、股下部Ｃ側に、表面シート２２と接合されずに表面シート２２を覆っている非接合領域３Ａを有している。より具体的には、腰部ベルト３の、図２に符号３Ｃで示す領域は、面塗工された接着剤８１により、その非肌対向面側のシートに接合されている。面塗工は、例えば、接着剤塗工機として、スプレーガン、コーターガン等を用いて、面状に塗工する。他方、腰部ベルト３の、図２に符号３Ｂで示す領域は、パターン塗工された接着剤８２により、その非肌対向面側のシートに接合されている。
【００１８】
腰部ベルト３における一対のフラップ部３Ｆ，３Ｆは、背側部Ｂにおける吸収性本体２の両側縁２ｓ，２ｓから、おむつの幅方向Ｘに延出している。
一対のフラップ部３Ｆ，３Ｆのそれぞれには、図１、図３及び図４に示すように、ファスニングテープ４が設けられている。本実施形態におけるファスニングテープ４は、テープ基材４２と、該テープ基材４２に接合されて止着部４１を形成する機械的面ファスナーのオス部材４３とからなる。また、図５に示すように、腹側部Ａの非肌対向面には、ファスニングテープの止着部４１，４１を着脱可能に係合可能なランディングテープ７が設けられている。ランディングテープ７としては、機械的面ファスナーのメス部材や、機械的面ファスナーのオス部材４３が係合可能な不織布などを用いることができる。
【００１９】
腰部ベルト３は、１枚のシート状をなし、好ましくは不織布から形成されている。腰部ベルト３を形成する不織布としては、各種の製法による不織布を特に制限なく用いることができ、例えば、エアスルー不織布、スパンボンド不織布、スパンレース不織布、ニードルパンチ不織布、スパンボンド不織布（Ｓ）とメルトブロー不織布（Ｍ）との複合不織布（ＳＭＳ不織布等）等が挙げられる。不織布から形成されているという表現には、同種又は異種の不織布が２層以上に積層された積層構造を、腰部ベルト３の全体又は一部に有する場合も含まれる。腰部ベルト３は、後述する第１の製造方法で製造した場合のように、一対のフラップ部３Ｆが、不織布が２層以上に積層された積層構造を有することが好ましい。
また、腰部ベルト３は、伸長性・伸縮性を有すると吸収体２１に皺・ヨレ等が発生し易くなりフィット性を害するため、伸長性・伸縮性はないことが好ましい。腹側腰部ベルト８も同様である。
【００２０】
また、おむつ１における一対のフラップ部３Ｆ，３Ｆそれぞれには、図３及び図４に示すように、伸縮部材５が取り付けられている。
伸縮部材５は、各フラップ部３Ｆの非肌対向面側に取り付けられており、前述したファスニングテープ４は、図４に示すように、伸縮部材５の端部５ｃに連結されており、より具体的には、テープ基材４２のみからなる部分が、伸縮部材５のおむつ幅方向外側の端部５ｃに重ねて接合されている。テープ基材４２を伸縮部材５に接合する方法や、機械的面ファスナーのオス部材４３をテープ基材４２に固定する方法としては、接着剤による接着や、熱シール、超音波シール等による熱融着、それら２種以上の組み合わせ等の任意の接合方法が用いられる。
伸縮部材５は、少なくとも、おむつ１の幅方向Ｘに伸縮性を有している。伸縮部材５は、シート状の弾性部材からなるか又はシート状の弾性部材を含むことが好ましい。シート状の弾性部材としては、発泡ウレタン製のシート、天然ゴム、合成ゴム等のエラストマー樹脂からなるシート等が挙げられる。
なお、図示例においては、ファスニングテープ４のテープ基材４２は、伸縮部材５の非肌対向面側に接合されているが、伸縮部材５の肌対向面側に接合されていても良く、また、伸縮部材５が、２枚以上のシートの積層構造を有する場合には、伸縮部材５を構成する２枚のシート間に固定されていても良い。
【００２１】
また、おむつ１は、一対のファスニングテープ４，４間に位置するテープ間領域Ｒを有する。テープ間領域Ｒは、おむつ１に設けられた一対のファスニングテープ４，４の上端どうし間を結ぶ直線Ｌ１と下端どうし間を結ぶ直線Ｌ２とに挟まれた領域である。ファスニングテープ４の上端４ｕは、図３に示すように、ファスニングテープ４が、フラップ部３Ｆと重なって該フラップ部３Ｆに固定されている部分のうち、おむつ１の長手方向Ｙにおいて最も背側部側の端部１ｂに近い部位であり、ファスニングテープ４の下端４ｄは、ファスニングテープ４が、フラップ部３Ｆと重なって該フラップ部３Ｆに固定されている部分のうち、おむつ１の長手方向Ｙにおいて最も股下部Ｃ側に近い部位である。ファスニングテープ４のフラップ部３Ｆに固定されている部分は、図４に示すように、ファスニングテープ４とフラップ部３Ｆとの間に、伸縮部材５等の他の部材が介在しているが、ファスニングテープ４とフラップ部３Ｆとの間が、平面視における同じ部位で厚み方向の全域に亘って一体化されている場合も含まれる。
【００２２】
おむつ１における伸縮部材５は、伸縮部分５１の少なくとも一部が、フラップ部３Ｆにおけるテープ間領域Ｒ内に位置している。伸縮部分５１は、伸縮部材のうち、伸縮性を発現する部分であり、本実施形態における伸縮部材５は、おむつ１の幅方向Ｘに対応する方向における両端部を除く部分が伸縮部分５１となっており、図４に示すように、おむつの幅方向Ｘにおいては、伸長領域３１と重なる部分の全域が伸縮部分５１となっており、図３に示すように、おむつの長手方向Ｘにおいても、伸長領域３１と重なる部分の全域が伸縮部分５１となっている。おむつ１における伸縮部材５は、その全体が、おむつ１の平面視（図１参照）において、テープ間領域Ｒ内に位置し、伸縮部分５１の全体が、テープ間領域Ｒ内に位置している。
【００２３】
おむつ１における伸縮部材５は、非伸長状態で、伸長領域３１を伸長させていない状態のフラップ部３Ｆに固定されている。本発明における伸縮部材は、その片面全体がフラップ部に接合されていても良いが、本実施形態のおむつ１における伸縮部材５は、図３及び図４に示すように、腰部ベルト３に固定された固定部として、吸収性本体２側の本体側固定部５ｉと、該吸収性本体２から遠い側（ファスニングテープに近い側）の先端側固定部５ｇとを有し、本体側固定部５ｉと先端側固定部５ｇとの間に、伸長領域３１と重なり且つ腰部ベルト３に固定されていない非固定部５ｍを有している。伸縮部材５の固定部５ｉ，５ｇにおける固定方法としては、接着剤による接着や、熱シール、超音波シール等による熱融着、それら２種以上の組み合わせ等の任意の接合方法が用いられる。
【００２４】
各フラップ部３Ｆは、伸長性付与加工により伸長性を付与した伸長領域３１を有している。伸長領域３１は、少なくとも、おむつ１の幅方向に伸長可能である。本実施形態における伸長領域３１は、おむつ１の幅方向には伸長可能であるが、おむつ１の長手方向には殆ど伸長性を有しない。そして、図３及び図４に示すように、各フラップ部３Ｆにおいて、伸長領域３１は、少なくとも一部が、前述したテープ間領域Ｒ内において、伸縮部材５と重なっている。また、伸長領域３１は、フラップ部３Ｆにおける、おむつ長手方向Ｙの両端に位置する、フラップ部３Ｆの上端縁３ｕと下端縁３ｄとの間に亘るように形成されている。また、伸長領域３１は、おむつ幅方向Ｘにおいて、フラップ部３Ｆの一部に形成されている。おむつ幅方向Ｘにおける伸長領域３１の長さＬ３１は、フラップ部３Ｆの同方向の長さＬ３の、好ましくは１５％以上、より好ましくは２０％以上であり、また、好ましくは７５％以下、より好ましくは５０％以下である。
【００２５】
伸長性付与加工としては、例えば、図６に示すように、伸長性を付与すべき加工対象シート３０を、互いに噛み合う歯溝を有する一対の歯溝ロール３３，３４間に噛み込ませて、おむつの幅方向Ｘに対応する方向に延伸させる延伸加工が好ましい。図６に示す延伸装置３２における歯溝ロール３３，３４は、周方向に延びる凸条部（歯）と周方向に延びる溝とをロールの軸長方向に交互に有しており、両歯溝ロール３３，３４は、一方の歯溝ロール３３の溝内に他方の歯溝ロール３４の凸条部（歯）が遊挿された状態で、連動して逆方向に回転する。そして、その両歯溝ロール３３，３４間に、加工対象シート３０を導入することで、加工対象シート３０における、一方のロール３３の凸条部と該凸条部に隣接する他方のロール３４の凸条部との間に位置する部分が延伸される。この延伸加工が施された部分が、伸長性を有する伸長領域３１となる。
なお、図６に示す延伸装置３２は、歯溝ロール３３，３４の軸長方向に離間した２つの延伸加工部３Ｓを有し、延伸加工部３Ｓのそれぞれにおいて、歯溝ロール３３，３４の歯溝による延伸加工が施される。
【００２６】
本実施形態のおむつ１は、通常の展開型の使い捨ておむつと同様に、ファスニングテープ４，４を引っ張り、腹側部Ａのランディングテープ７に、ファスニングテープの止着部４１を止着することで、着用者に容易に装着することができる。
本実施形態のおむつ１によれば、フラップ部３Ｆに伸長領域３１が形成されていることによって、フラップ部３Ｆが伸長性を有するとともに、その伸長領域３１に重なるように伸縮部材５が取り付けられているため、伸長領域３１のみでは伸縮性を示さないフラップ部３Ｆが伸縮部材５の伸縮性により伸縮性を示す。また、伸縮部材５が、ファスニングテープ４の止着時に張力が大きく作用する領域であるテープ間領域Ｒに位置するため、ファスニングテープの止着時やおむつの着用中に、伸縮部材５の伸縮性が効果的に発現される。また、図１及び図２に示すように、吸収体２１の背側部Ｂ側の端部２１ｂを、テープ間領域Ｒよりも股下部Ｃ側に位置させてあるため、腰部ベルト３におけるテープ間領域Ｒに位置する部分が、着用者の肌にフィットする際に、剛性のある吸収体２１が着用者の肌に違和感を与えたり、腰部ベルト３のテープ間領域Ｒに位置する部分のフィット性が、吸収体２１によって損なわれることも防止される。
本実施形態のおむつ１によれば、このような作用により、着用者の胴回りに対するフィット性及び着用感に優れる。また、糸状弾性部材を平行状に配した弾性伸縮部材を用いる場合やフラップ部３Ｆの全体を伸縮パネル等とする場合に比して安価に製造可能である。
【００２７】
腰部ベルト３のテープ間領域Ｒに位置する部分のフィット性を高める観点から、吸収体２１の背側部Ｂ側の端部２１ｂが、テープ間領域Ｒよりも股下部Ｃ側に位置することを前提として、該端部２１ｂとテープ間領域Ｒとの間の、おむつ長手方向Ｙの離間距離Ｌ６は、好ましくは２ｍｍ以上、より好ましくは１５ｍｍ以上であり、また、好ましくは３５ｍｍ以下、より好ましくは２５ｍｍ以下である。
【００２８】
また、本実施形態のおむつ１によれば、腰部ベルト３に非接合領域３Ａを形成して防漏ポケットＰが形成されるようにしたため、腰部ベルト３のフィット性に一層優れるとともに漏れ防止性にも優れている。
【００２９】
また、本実施形態のおむつ１においては、図３に示すように、伸縮部材５の、吸収性本体の長手方向Ｙに沿う方向の長さＬ５が、ファスニングテープ４の同方向の長さＬ４と同一である。伸縮部材５とファスニングテープ４の長さを同じとすると、伸縮部材５の収縮に伴う引っ張り力が、図３に白抜き矢印で示すように、主としてテープ間領域Ｒの幅内に作用し、吸収体２１を、テープ間領域Ｒ内に引っ張るような力が作用しないため、テープ間領域Ｒや腰部ベルト３の着用者に対するフィット性に一層優れたものとなる。
【００３０】
また、伸縮部材５を、伸長領域３１と重なる非固定部５ｍを挟んでその両側に位置する固定部５ｉ，５ｇで腰部ベルト３に固定したため、伸長領域３１の伸長性及び伸縮部材５の伸縮性が損なわれにくく、テープ間領域Ｒや腰部ベルト３の着用者に対するフィット性に一層優れたものとなる。
伸縮部材５の固定部５ｉ，５ｇにおける固定方法としては、接着剤による接着や、熱シール、超音波シール等による熱融着、それら２種以上の組み合わせ等の任意の接合方法が用いられる。
【００３１】
本実施形態のおむつ１について更に説明すると、腹側腰部ベルト８は、ファスニングテープ４及び伸縮部材５が設けられておらず、おむつ長手方向の長さが多少短い以外は、腰部ベルト３と同様であり、吸収性本体２と重なる中央部分８Ｍと、吸収性本体２の長手方向の両側縁２ｓ，２ｓから延出する一対の腹側フラップ部８Ｆ，８Ｆとを有している。また、腹側腰部ベルト８の中央部分８Ｍは、吸収体２１の両側縁それぞれの外方及び該吸収体２１の腹側部Ａ側の端部２１ａより外方において、その下に位置するシートと接合されている一方、股下部Ｃ側に、表面シート２２に接合されていない非接合領域を有し、おむつの自然状態において、吸収体２１と重なる表面シート２２上に、腰部ベルト３によって形成される防漏ポケットＰと同様の防漏ポケットが形成されるようになされている。また、腹側フラップ部８Ｆは、フラップ部３Ｆの伸長領域３１と同時に伸長領域３１’が形成されているが、腹側フラップ部８Ｆには、その伸長領域３１’と重なる伸縮部材が設けられていない。
【００３２】
また、外装不織布２４は、平面視形状が、吸収性本体２と同形同大の長方形状をなしており、図２に示すように、おむつ１の長手方向Ｙにおいて、防漏シート２３の背側部側の端部２３ｂよりも外方まで延在している。また、図１及び図２に示すように、防漏シート２３は、おむつ１の長手方向Ｙにおける背側部Ｂ側の端部２３ｂが、該長手方向Ｙにおいて、テープ間領域Ｒ内に位置している。また、表面シート２２は、背側部Ｂ側の端部２２ｂの位置が、吸収体２１の端部２１ｂの位置と一致している。図１に、吸収性本体２、吸収体２１、表面シート２２、防漏シート２３及び外装不織布２４の腹側部Ａ側の端部の位置を、この順に符号２１ａ，２２ａ，２３ａ，２４ａで示した。
【００３３】
おむつ１の構成材料について説明する。各構成材料は、従来、使い捨ておむつ等の吸収性物品に用いられている各種材料を、特に制限なく用いることができる。
例えば、吸収体２１としては、パルプ繊維等の繊維の集合体（不織布であっても良い）又はこれに吸水性ポリマーの粒子を保持させてなる吸収性コア（図示せず）を、透水性の薄紙や不織布からなるコアラップシート（図示せず）で被覆したもの等を用いることができる。
ただし、吸収性コアの背側部Ｂ側の端部からコアラップシートが延出している場合、当該延出したコアラップシートのみからなる部分は、吸収体２１の一部に含めない。
【００３４】
表面シート２２としては、親水性且つ液透過性の不織布や立体開孔フィルム等を用いることができる。
防漏シート２３としては、透湿性で且つ液不透過性のフィルム、例えば微多孔性フィルム等を用いることができる。微多孔性フィルムは、例えば、疎水性の熱可塑性樹脂と、炭酸カルシウム等からなる微小な無機フィラー又は前記熱可塑性樹脂と相溶性のない有機高分子等とを溶融混練してフィルムを形成し、該フィルムを一軸又は二軸延伸して得られる。
外装不織布２４としては、各種製法による不織布、例えば、エアスルー不織布、スパンボンド不織布、スパンレース不織布、ニードルパンチ不織布等を用いることができ、多層構造のものであっても良い。
立体ガードを形成する立体ガード形成用シート６１としては、フィルム、不織布、織物又はこれらの積層シート等を用いることができる。ファスニングテープ４のテープ基材４２としては、例えば、不織布、織物、フィルム又はこれらの積層シート等を用いることができる。
【００３５】
立体ガード形成用の弾性部材６２や、脚周りにレッグギャザーを形成するためのレッグ部弾性部材２６としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状ないし紐状の弾性部材を用いることができる。
腰部ベルト３を固定する接着剤をはじめ、各部材間を接合するための接着剤の好ましい材料としては、非晶性ポリオレフィン、エチレン−酢酸ビニル共重合体（ＥＶＡ）、エチレン−アクリル酸エステル共重合体（ＥＥＡ）、スチレン−ブタジエン−スチレンブロック共重合体（ＳＢＳ）、スチレン−イソプレン−スチレンブロック共重合体（ＳＩＳ）、スチレン−エチレン／ブチレン−スチレンブロック共重合体（ＳＥＢＳ）、スチレン−エチレン／プロピレン−スチレンブロック共重合体（ＳＥＰＳ）などの熱可塑性ポリマー及びそれらの混合物等が挙げられる。接着剤はホットメルト型が好ましい。
【００３６】
図７は、本発明の第２実施形態である展開型の使い捨ておむつ１Ａ（以下、おむつ１Ａともいう）を示す図である。
おむつ１Ａにおいては、一対のフラップ部３Ｆ，３Ｆに対するファスニングテープ４，４及び伸縮部材５，５の取り付け態様が上述したおむつ１と異なる。おむつ１Ａについては、おむつ１と異なる点を説明し、同様の点について説明を省略する。特に説明しない点については、おむつ１に関して上述した説明が適宜適用される。
おむつ１Ａにおいては、図７（ａ）に示すように、腰部ベルト３の一部からなる一対のフラップ部３Ｆ，３Ｆが、それぞれ腰部ベルト３の中央部分３Ｍの肌対向面側に折り曲げられており、その一対のフラップ部３Ｆ，３Ｆに、図７（ｂ）に示す構成を有する、ファスニングテープ及び伸縮部材の複合配置体９が、両フラップ部３Ｆ，３Ｆに架け渡すように固定されていることによって、一対のフラップ部３Ｆ，３Ｆに、ファスニングテープ４及び伸縮部材５が取り付けられている。第２実施形態のおむつ１Ａのように、本発明のおむつにおける「一対のフラップ部」は、使用前の形態、例えば包装袋に充填された市販の形態において、吸収性本体の側縁から幅方向外方に延出しているものに限定されるものではなく、着用状態において吸収性本体の側縁からおむつ又は本体の幅方向Ｘの外方に延出するものであれば良い。
【００３７】
前記複合配置体９は、図７（ｂ）に示すように、ミシン目９２を有する基材シート９１を有しており、基材シート９１は、おむつ１Ａの幅方向中央の両側それぞれに、吸収性本体２側（図７（ｂ）中下側）に折り曲げられて、おむつ１Ａの幅方向中央側に折り返された折り返し部分９３を有している。そして、基材シート９１の折り返されていないベース部分９４と折り返し部分９３との間にエラストマーシート９５が挟持されたエラストマーシート積層部５２を有している。そのエラストマーシート積層部５２には、伸長性付与加工として、例えば前述した延伸装置３２によって延伸加工が施されており、その延伸加工が施された部分が、伸縮部材５の伸縮部分５１となっている。伸縮部材５は、例えば、図７（ａ）に示す使用前の形態のおむつ１Ａにおいて、ファスニングテープ４のおむつ幅方向外側の端部より更に外方に位置する部分である。エラストマーシート９５としては、例えば、発泡ウレタン製のシート、天然ゴム、合成ゴム等のエラストマー樹脂からなるシート等が用いられる。基材シート９１の前述した折り返し部分９３のおむつ１Ａの幅方向中央側の端部にファスニングテープ４が連結されている。ファスニングテープ４は、おむつ１のファスニングテープと同様に、テープ基材４２と、該テープ基材４２に接合されて止着部４１を形成する機械的面ファスナーのオス部材４３とからなる。基材シート９１としては、各種の製法による不織布を特に制限なく用いることができ、例えば、腰部ベルトを形成する不織布として前述した各種のものが挙げられる。
【００３８】
複合配置体９は、折り返し部分９３が位置する面側が、折り返された各フラップ部３Ｆの非肌対向面に接合されており、好ましくは、伸縮部材５を構成する部分が、フラップ部３Ｆに形成されている伸長領域３１を跨ぐ相互に離間した２箇所において、各フラップ部３Ｆの非肌対向面に接合されている。
【００３９】
おむつ１Ａは、ミシン目９２を破断しない状態においては、一対のフラップ部３Ｆ，３Ｆがおむつ１Ａの幅方向内方に向かって折り畳まれた状態が安定に維持される一方、ミシン目９２を破断することによって、ファスニングテープ４，４が使用可能となり、ファスニングテープ４，４を用いて着用者に装着可能となる。一対のフラップ部３Ｆ，３Ｆが折り畳まれた状態が維持されることは、製造時における搬送や、おむつの包装袋への圧縮充填が安定化等の利点がある。
【００４０】
複合配置体９の好ましい製造方法を図８を参照して説明する。
先ず、図８（ａ）に示すように、帯状の基材シート９１を、その幅方向Ｘに直交する方向に搬送しつつ、該基材シート９１の幅方向の両端部に、帯状のファスニングテープ４を接合する。この接合の後又は前に、基材シート９１の幅方向の中央部にミシン目９２を入れる。ファスニングテープ４の接合とミシン目９２の形成は同時に行っても良い。
次いで、図８（ｂ）に示すように、帯状の基材シート９１の幅方向Ｘの中央部を挟む両側の片面上に、帯状のエラストマーシート９５を配置し、図８（ｃ）に示すように、基材シート９１におけるエラストマーシート９５より外方に位置する部分を、エラストマーシート９５と重なるように折り返す。これにより、基材シート９１の折り返されていないベース部分９４と折り返し部分９３との間にエラストマーシート９５が介在した構成のエラストマーシート積層部５２を有する帯状複合体９０が形成される。帯状複合体９０のエラストマーシート積層部５２におけるエラストマーシート９５とそれを挟む２枚の基材シート９１との間は、接着剤を介在させて接合しても良いし、エラストマーシート積層部５２に延伸加工を施す際に熱融着させても良い。
そして、帯状複合体９０におけるエラストマーシート積層部５２，５２に、図６に示すような延伸装置３２によって延伸加工を施すことで、エラストマーシート積層部５２が、伸縮部分５１となった帯状の複合配置体９’が得られる〔図８（ｄ）参照〕。
【００４１】
次に、得られた複合配置体９を用いておむつ１Ａを製造する方法の好ましい一例について、図９及び図１０を参照して説明する。
図９（ａ）に示すように、帯状の複合配置体９’を、おむつ１Ａの１個分に必要な長さに順次切断し、短冊状とした複合配置体９を、図９（ｆ）に示すように、フラップ部３Ｆとなるフラップ形成部３６Ｆが中央部分３Ｍ上に折り重ねられたベルト連続体３６に一定の間隔を開けて順次固定する。
ベルト連続体３６の好ましい製造方法においては、先ず、図９（ｂ）〜図９（ｄ）に示すように、腰部ベルト３を形成する不織布の帯状原反３５の幅方向の両端から所定の幅を有する部分３５ｓを、幅方向Ｘの中央部方向へと折り畳み、幅方向の両側に不織布が２層に積層されたフラップ形成部３６Ｆを有するベルト連続体３６を得る。フラップ形成部３６Ｆの層間は接着剤を介在させたり、２層以上とした後にヒートシール加工を一体的に施す等の任意の方法で接合することが好ましい。そして、そのベルト連続体３６の幅方向両側のフラップ形成部３６Ｆに、図６に示すような延伸装置３２によって延伸加工を施すことで、伸長領域３１を有するフラップ形成部３６Ｆを備えたベルト連続体３６が得られる。
【００４２】
そして、得られたベルト連続体３６のフラップ形成部３６Ｆを、図９（ｅ）に示すように、ベルト連続体３６の幅方向中央側に折り曲げた後、このベルト連続体３６の一対のフラップ形成部３６Ｆに架け渡すように短冊状とした複合配置体９を順次固定する。
【００４３】
次いで、ベルト連続体３６に複合配置体９が固定された構成を有するベルト複合体３８を、図１０（ａ）に示すように、所定の長さに順次切断し、切断後の短尺のベルト複合体３９を、図１０（ｂ）に示すように、複数個のおむつ１の吸収性本体２が長手方向に連続した構成の本体連続体２’に間欠的に順次固定する。そして、ベルト複合体３９が固定された本体連続体２’を、ベルト複合体３９が腰部ベルト３と腹側腰部ベルト８とに分割されるように切断することにより、前述した構成のおむつ１Ａが得られる。
【００４４】
上述した複合配置体９やおむつ１Ａの製造方法における、接合や固定方法としては、各種の方法を特に制限なく用いることができ、接着剤による接着や、熱シール、超音波シール等による熱融着、それら２種以上の組み合わせ等の任意の接合方法を用いることができる。なお、前述したおむつ１は、前述したおむつ１Ａの製造工程中に、ミシン目を破断する工程を追加することによっても製造可能である。
【００４５】
図１１は、複合配置体の他の例を示す図である。
図１１に示す複合配置体９Ａは、一対のファスニングテープ４，４がミシン目９２を介して結合した構成を有するファスニングテープ連結体４０と、該ファスニングテープ連結体４０を挟む両側それぞれに連結された基材シート９１，９１を有している。基材シート９１は、おむつの幅方向中央の両側に配される部分それぞれに、吸収性本体２側（図１１中下側）に折り曲げられて、おむつの幅方向中央側に折り返された折り返し部分９３を有している。そして、基材シート９１の折り返されていないベース部分９４と折り返し部分９３との間にエラストマーシート９５が挟持されたエラストマーシート積層部５２を有している。そのエラストマーシート積層部５２には、伸長性付与加工として、例えば前述した延伸装置３２によって延伸加工が施されており、その延伸加工が施された部分が、伸縮部材５の伸縮部分５１となっている。伸縮部材５は、例えば、ファスニングテープ連結体４０以外の部分である。ファスニングテープ連結体４０は、２つのファスニングテープ４，４のテープ基材４２どうしがミシン目９２を介して連続した構成を有している。基材シート９１としては、各種の製法による不織布を特に制限なく用いることができ、例えば、腰部ベルトを形成する不織布として前述した各種のものが挙げられる。
【００４６】
複合配置体９Ａの好ましい製造方法においては、先ず、図１２（ａ）に示すように、帯状のテープ基材４２を、その幅方向Ｘに直交する方向に搬送しつつ、該テープ基材４２に、ミシン目９２及び止着部４１を設けて、ファスニングテープ４，４がミシン目９２を介して結合した構成を有するファスニングテープ連結体４０を得る。また、帯状のファスニングテープ連結体４０を長手方向に搬送しつつ、そのファスニングテープ連結体４０を挟む両側それぞれに帯状の基材シート９１を連結する。基材シート９１の連結は、ミシン目９２の形成及び止着部４１の形成の何れか一方、又は双方の前に行っても良い。
次いで、図１２（ｂ）に示すように、ファスニングテープ連結体４０の両側の基材シート９１それぞれの片面上に、エラストマーシート９５を配置した後、図１２（ｃ）に示すように、各基材シート９１を、おむつ幅方向中央側に折り返す。これにより、基材シート９１の折り返されていないベース部分９４と折り返し部分９３との間にエラストマーシート９５が介在した構成のエラストマーシート積層部５２を有する帯状複合体９０Ａが形成される。帯状複合体９０Ａのエラストマーシート積層部５２におけるエラストマーシート９５とそれを挟む２枚の基材シート９１との間は、接着剤を介在させて接合しても良いし、エラストマーシート積層部５２に延伸加工を施す際に熱融着させても良い。
そして、その帯状複合体９０Ａにおけるエラストマーシート積層部５２，５２に、図６に示すような延伸装置３２によって延伸加工を施すことで、エラストマーシート積層部５２が伸縮部分５１となった帯状の複合配置体９Ａ’が得られる〔図１２（ｄ）参照〕。得られた帯状の複合配置体９Ａは、好ましくは、おむつの製造ラインにそのまま導入され、その製造ラインにおいて、おむつの１個分に必要な長さに順次切断されて、図１１に示す複合配置体９Ａを備えたおむつが製造される。
【００４７】
複合配置体９Ａは、前述した複合配置体９と同様に、折り返し部分９３が位置する面側が、折り返された各フラップ部３Ｆの非肌対向面に接合され、好ましくは、伸縮部材５を構成する部分が、フラップ部３Ｆに形成されている伸長領域３１を跨ぐ相互に離間した２箇所において、各フラップ部３Ｆの非肌対向面に接合される。
複合配置体９Ａは、前述したおむつ１Ａの複合配置体９に代えて用いることができ、そのような構成を有するおむつも、ミシン目９２を破断しない状態においては、一対のフラップ部３Ｆ，３Ｆがおむつの幅方向内方に向かって折り畳まれた状態が安定に維持される一方、ミシン目９２を破断することによって、ファスニングテープ４，４が使用可能となり、ファスニングテープ４，４を用いて着用者に装着可能となる。一対のフラップ部３Ｆ，３Ｆが折り畳まれた状態が維持されることは、製造時における搬送や、おむつの包装袋への圧縮充填が安定化等の利点がある。
【００４８】
以上、本発明をその好ましい実施形態に基づき説明したが、本発明は、上記の各実施形態に制限されず、種々の変更可能である。
【００４９】
例えば、本発明の使い捨ておむつは、立体ガードを有しないものであっても良い。
また、ファスニングテープ４は、不織布等からなるテープ基材の片面に、機械的面ファスナーのオス部材を熱融着や接着剤等により貼り付けてなるものに代えて、不織布等からなるテープ基材の片面に粘着剤を塗布して粘着剤からなる止着部を形成したものであっても良い。また、腹側腰部ベルト８のフラップ部８Ｆには伸長領域３１’に形成しなくても良く、腹側腰部ベルト８自体を省略することもできる。
【００５０】
また、ファスニングテープ４は、腹側部Ａにおける吸収性本体２の両側縁から延出した腹側フラップ部８Ｆの非肌対向面に止着されるものであっても良いし、その腹側フラップ部８Ｆは、腹側腰部ベルトの一部からなるものに代えて、吸収性本体２の左右両側に別々のシート材を固定して形成したものであっても良い。
【００５１】
腰部ベルト３は、１枚のシートからなり２層以上に積層された部分を有しないものであっても良い。また、複合配置体におけるファスニングテープの基材テープとシート基材とは、一枚の連続するシートであっても良い。
【００５２】
上述した実施形態に関し、本発明は更に以下の使い捨ておむつを開示する。
＜１＞
液透過性の表面シート、裏面シート、及びこれら両シート間に配された吸収体を有する吸収性本体を備え、着用時に着用者の腹側に配される腹側部、背側に配される背側部及びそれらの間に位置する股下部を有する縦長の使い捨ておむつであって、
前記背側部における前記吸収性本体の肌対向面側に、該吸収性本体を幅方向に横断するように配された腰部ベルトを有しており、
前記腰部ベルトは、前記吸収性本体と重なる中央部分と、該吸収性本体の両側縁から幅方向外方に延出する一対のフラップ部とを有し、
前記中央部分は、前記吸収体の長手方向の両側縁それぞれの外方及び該吸収体の前記背側部側の端部より外方において、前記吸収性本体の肌対向面側に固定されており、且つ前記股下部側に、前記表面シートに接合されていない非接合領域を有し、おむつの自然状態において、前記吸収体と重なる表面シート上に防漏ポケットが形成されるようになされており、
一対の前記フラップ部それぞれにファスニングテープが設けられており、
一対の前記フラップ部それぞれに伸縮部材が取り付けられており、
前記伸縮部材は、伸縮部分の少なくとも一部が、一対の前記ファスニングテープの上端どうし間を結ぶ第１直線と下端どうし間を結ぶ第２直線とに挟まれたテープ間領域内に位置しており、
一対の前記フラップ部それぞれに、伸長性付与加工により伸長性を付与した伸長領域が形成され、該伸長領域は、少なくとも一部が、前記テープ間領域内において前記伸縮部材と重なっており、
前記吸収体の前記背側部側の端部が、前記テープ間領域よりも股下部側に位置する、使い捨ておむつ。
【００５３】
＜２＞
前記ファスニングテープは、前記伸縮部材の端部に連結されている、前記＜１＞に記載の使い捨ておむつ。
＜３＞
前記伸縮部材の、前記吸収性本体の長手方向に沿う方向の長さが、前記ファスニングテープの同方向の長さと同一である、前記＜１＞又は＜２＞に記載の使い捨ておむつ。
＜４＞
前記伸縮部材は、おむつの幅方向において、前記伸長領域と重なる部分の全域が、伸縮性を発現する伸縮部分となっている、前記＜１＞〜＜３＞の何れか１に記載の使い捨ておむつ。
＜５＞
前記伸縮部材は、おむつの長手方向において、前記伸長領域と重なる部分の全域が、伸縮性を発現する伸縮部分となっている、前記＜１＞〜＜４＞の何れか１に記載の使い捨ておむつ。
＜６＞
前記伸縮部材は、その全体が、おむつの平面視において、前記テープ間領域内に位置し、伸縮性を発現する伸縮部分の全体が、該テープ間領域内に位置している、前記＜１＞〜＜５＞の何れか１に記載の使い捨ておむつ。
＜７＞
おむつ幅方向における前記伸長領域の長さＬ３１は、前記フラップ部の同方向の長さＬ３の、好ましくは１５％以上、より好ましくは２０％以上であり、また、好ましくは７５％以下、より好ましくは５０％以下である、前記＜１＞〜＜６＞の何れか１に記載の使い捨ておむつ。
＜８＞
前記伸長領域が、伸長性を付与すべき加工対象シートを、互いに噛み合う歯溝を有する一対の歯溝ロール間に噛み込ませて、おむつの幅方向に対応する方向に延伸させる延伸加工により形成されたものである、前記＜１＞〜＜６＞の何れか１に記載の使い捨ておむつ。
＜９＞
前記伸縮部材は、前記腰部ベルトに固定された固定部として、前記吸収性本体側の本体側固定部と、該吸収性本体から遠い側の先端側固定部とを有し、本体側固定部と先端側固定部との間に、前記伸長領域と重なり且つ該腰部ベルトに固定されていない非固定部を有する、前記＜１＞〜＜８＞の何れか１に記載の使い捨ておむつ。
【００５４】
＜１０＞
前記腰部ベルトの一部からなる一対の前記フラップ部が、それぞれ該腰部ベルトの中央領域の肌対向面側に折り曲げられており、その一対のフラップ部に、ファスニングテープ及び伸縮部材の複合配置体が前記両フラップ部に架け渡すように固定されていることによって、その一対のフラップ部に、前記ファスニングテープ及び前記伸縮部材が取り付けられており、
前記複合配置体は、ミシン目を有する基材シートを有し、前記基材シートは、おむつ幅方向中央の両側それぞれに、該吸収性本体側に折り曲げられて、おむつ幅方向中央側に折り返された折り返し部分を有し、該基材シートの折り返されていないベース部分と前記折り返し部分との間にエラストマーシートが挟持されたエラストマーシート積層部を有しており、
前記エラストマーシート積層部に伸長性付与加工が施されて、前記伸縮部材の伸縮部分が形成されているとともに、前記折り返し部分にファスニングテープが連結されており、
ミシン目を破断して使用する、前記＜１＞〜＜９＞の何れか１に記載の使い捨ておむつ。
＜１１＞
前記腰部ベルトの一部からなる一対の前記フラップ部が、それぞれ該腰部ベルトの中央領域の肌対向面側に折り曲げられており、その一対のフラップ部に、ファスニングテープ及び伸縮部材の複合配置体が前記両フラップ部に架け渡すように固定されていることによって、その一対のフラップ部に、前記ファスニングテープ及び前記伸縮部材が取り付けられており、
前記複合配置体は、一対のファスニングテープがミシン目を介して結合した構成を有するファスニングテープ連結体と、該ファスニングテープ連結体を挟む両側それぞれに連結された基材シートを有しており、
前記基材シートそれぞれは、前記吸収性本体側に折り曲げられて、おむつ幅方向中央側に折り返された折り返し部分を有し、該基材シートの折り返されていないベース部分と前記折り返し部分との間にエラストマーシートが挟持されたエラストマーシート積層部を有しており、
前記エラストマーシート積層部に伸長性付与加工が施されて、前記伸縮部材の伸縮部分が形成されており、前記ファスニングテープ連結体は、前記ミシン目を破断することで一対のファスニングテープに分離可能である、前記＜１＞〜＜９＞の何れか１に記載の使い捨ておむつ。
＜１２＞
前記腰部ベルトを、その非肌対向面側に位置するシートに接合する方法が、接着剤による接着、熱シール若しくは超音波シールによる熱融着、又はそれら２種以上を組み合わせた方法である、前記＜１＞〜＜１１＞の何れか１に記載の使い捨ておむつ。
＜１３＞
前記腰部ベルトは、前記背側部における、前記吸収体の長手方向の端部（背側部側の端部）より外方の部位において、おむつの外面を形成するシート又は外装不織布に亘るすべての層間が接合されている、前記＜１＞〜＜１２＞の何れか１に記載の使い捨ておむつ。
＜１４＞
前記腰部ベルトは、１枚のシート状をなし、好ましくは不織布から形成されている、前記＜１＞〜＜１２＞の何れか１に記載の使い捨ておむつ。
＜１５＞
前記一対のフラップ部は、それぞれ、不織布が２層以上に積層された積層構造を有する、前記＜１＞〜＜１４＞の何れか１に記載の使い捨ておむつ。
＜１６＞
前記吸収体の前記背側部側の端部は、前記テープ間領域よりも股下部側に位置しており、該背側部側の端部と該テープ間領域との間の、おむつ長手方向の離間距離Ｌ６は、好ましくは２ｍｍ以上、より好ましくは１５ｍｍ以上であり、また、好ましくは３５ｍｍ以下、より好ましくは２５ｍｍ以下である、前記＜１＞〜＜１５＞の何れか１に記載の使い捨ておむつ。
＜１７＞
腹側腰部ベルトを有し、該腹側腰部ベルトは、前記股下部側に、前記表面シートに接合されていない非接合領域を有し、おむつの自然状態において、前記吸収体と重なる表面シート上に防漏ポケットが形成される、前記＜１＞〜＜１６＞の何れか１に記載の使い捨ておむつ。
【００５５】
＜１８＞
使い捨ておむつの一対のフラップ部に、ファスニングテープ及び伸縮部材を配置するために用いられる複合配置体を製造する複合配置体の製造方法であって、
帯状の基材シートを、その幅方向に直交する方向に搬送しつつ、該基材シートの幅方向の両端部に、帯状のファスニングテープを接合する接合工程、
基材シートの幅方向の中央部にミシン目を入れる工程、
帯状の基材シートの幅方向の中央部を挟む両側の片面上に、帯状のエラストマーシートを配置し、基材シートにおけるエラストマーシートより外方に位置する部分を、エラストマーシートと重なるように折り返して、基材シートのベース部分と折り返し部分との間にエラストマーシートが介在した構成のエラストマーシート積層部を有する帯状複合体を形成する工程、及び、前記帯状複合体における前記エラストマーシート積層部に、延伸装置によって延伸加工を施すことで、前記エラストマーシート積層部が伸縮部分となった帯状の複合配置体を得る工程を具備する、複合配置体の製造方法。
＜１９＞
前記＜１０＞に記載の使い捨ておむつを製造する使い捨ておむつの製造方法であって、
前記＜１８＞に記載の方法により前記複合配置体を製造する工程を具備する、使い捨ておむつの製造方法。
＜２０＞
前記＜１１＞に記載の使い捨ておむつに用いた複合配置体の製造方法であって、
前記ファスニングテープ連結体を製造する工程、
前記ファスニングテープ連結体を挟む両側それぞれに基材シートを連結する工程、
前記基材シートそれぞれを、おむつ幅方向中央側に折り返し、該基材シートの折り返されていないベース部分と折り返した部分との間にエラストマーシートが介在した構成のエラストマーシート積層部を有する帯状複合体を形成する工程、
前記帯状複合体における前記エラストマーシート積層部に、延伸装置によって延伸加工を施すことで、前記エラストマーシート積層部が伸縮部分となった帯状の複合配置体を得る工程とを具備する、複合配置体の製造方法。
＜２１＞
前記＜１１＞に記載の使い捨ておむつを製造する使い捨ておむつの製造方法であって、
前記＜２０＞に記載の方法により前記複合配置体を製造する工程を具備する、使い捨ておむつの製造方法。
【符号の説明】
【００５６】
１，１Ａ  使い捨ておむつ
２  吸収性本体
２１  吸収体
２２  表面シート
２３  防漏シート
２４  外装不織布
２５  裏面シート
２６  レッグ部弾性部材
３  腰部ベルト
３Ｍ  中央部分
３Ｆ  フラップ部
３１  伸長領域
３２  延伸装置
３３，３４  歯溝ロール
４  ファスニングテープ
４１  止着部
４２  テープ基材
４０  ファスニングテープ連結体
５  伸縮部材
５ｉ  本体側固定部
５ｇ  先端側固定部
５ｍ  非固定部
６  立体ガード
６１  立体ガード形成用シート
６２  弾性部材
７  ランディングテープ
８  腹側腰部ベルト
９，９Ａ  複合配置体
９１  基材シート
９２  ミシン目
９５  エラストマーシート
Ｒ  テープ間領域
【図１】
0006339431.tif 000002
【図２】
0006339431.tif 000003
【図３】
0006339431.tif 000004
【図４】
0006339431.tif 000005
【図５】
0006339431.tif 000006
【図６】
0006339431.tif 000007
【図７】
0006339431.tif 000008
【図８】
0006339431.tif 000009
【図９】
0006339431.tif 000010
【図１０】
0006339431.tif 000011
【図１１】
0006339431.tif 000012
【図１２】
0006339431.tif 000013